(57)【要約】【課題】表示ムラを改善し品質の低下を抑制できる表示装置を提供する。【解決手段】表示装置は、表示パネルと、表示パネルの周囲の少なくとも一部に配置される筐体と、表示パネルを保持する保持部材と、筐体と保持部材とを相対移動可能に接続する接続部材と、保持部材に衝撃力を与える衝撃部材を有する衝撃力発生装置とを備える。【選択図】図１
2017003621.tif 000002
【特許請求の範囲】
【請求項１】
表示パネルと、
前記表示パネルの周囲の少なくとも一部に配置される筐体と、
前記表示パネルを保持する保持部材と、
前記筐体と前記保持部材とを相対移動可能に接続する接続部材と、
前記保持部材に衝撃力を与える衝撃部材を有する衝撃力発生装置と、
を備える表示装置。
【請求項２】
前記表示パネルは、表示面及び前記表示面の逆方向を向く背面を有し、
前記保持部材は、前記表示パネルの背面と前記衝撃部材との間に配置される第１部分と、前記接続部材を介して前記筐体と接続される第２部分とを有し、
前記衝撃力発生装置は、前記第１部分に衝撃力を与える請求項１に記載の表示装置。
【請求項３】
前記衝撃力発生装置は、前記表示パネルの表示面と直交する方向の衝撃力を与え、
前記接続部材は、前記直交する方向に相対移動するように前記筐体と前記保持部材とを接続する請求項１又は請求項２に記載の表示装置。
【請求項４】
前記衝撃力発生装置は、前記保持部材を叩くように前記衝撃部材を移動する移動装置を有する請求項１から請求項３のいずれか一項に記載の表示装置。
【請求項５】
前記移動装置は、前記衝撃部材が前記保持部材と接触する接触状態及び前記保持部材から離れる非接触状態の一方から他方に変化するように前記衝撃部材を移動して、前記保持部材を叩く請求項４に記載の表示装置。
【請求項６】
前記移動装置は、回転軸を中心に回転可能な回転部材と、前記回転部材を回転させる動力を発生する駆動装置とを含み、
前記回転部材の回転により、前記衝撃部材は前記接触状態及び前記非接触状態の一方から他方に変化する請求項５に記載の表示装置。
【請求項７】
前記衝撃部材は、シリンダチューブに移動可能に支持されるピストンを含み、
前記移動装置は、前記シリンダチューブに気体を供給する気体供給装置を含み、
前記気体の供給により、前記接触状態及び前記非接触状態の一方から他方に変化する請求項５に記載の表示装置。
【請求項８】
前記衝撃部材は、前記保持部材に設けられた第１磁石と対向可能な第２磁石を含み、
前記第１磁石と前記第２磁石とが対向する対向状態及び前記第１磁石と前記第２磁石とが離れる非対向状態の一方から他方に変化するように前記第２磁石を移動する移動装置を有する請求項１から請求項３のいずれか一項に記載の表示装置。
【請求項９】
前記表示パネルが起動したか否かを判定する起動判定部と、
前記起動判定部により前記表示パネルが起動したと判定されたとき、前記衝撃力発生装置を作動させるための制御信号を出力する衝撃力発生装置制御部と、を備える請求項１から請求項８のいずれか一項に記載の表示装置。
【請求項１０】
前記表示パネルが黒表示状態か否かを判定する表示判定部と、
前記表示判定部により前記表示パネルが黒表示状態であると判定されたとき、前記衝撃力発生装置を作動させるための制御信号を出力する衝撃力発生装置制御部と、を備える請求項１から請求項９のいずれか一項に記載の表示装置。
【請求項１１】
操作により操作信号を生成する操作装置と、
前記操作信号が生成されたとき、前記衝撃力発生装置を作動させるための制御信号を出力する衝撃力発生装置制御部と、を備える請求項１から請求項１０のいずれか一項に記載の表示装置。
【発明の詳細な説明】
【技術分野】
【０００１】
本発明は、表示装置に関する。
【背景技術】
【０００２】
表示装置として、特許文献１に開示されているような液晶パネルを有する液晶表示装置が知られている。
【先行技術文献】
【特許文献】
【０００３】
【特許文献１】特開２０１４−０３８２１０号公報
【発明の概要】
【発明が解決しようとする課題】
【０００４】
液晶パネルは、第１基板と、第２基板と、第１基板と第２基板との間に設けられる液晶層とを有する。液晶パネルを筐体に取り付けるときに液晶パネルに応力ムラが発生する。応力ムラが発生すると第１基板と第２基板との間隔であるセルギャップが変動する。セルギャップが変動すると表示ムラが発生し、表示装置の品質が低下する。
【０００５】
本発明の態様は、表示ムラを改善し品質の低下を抑制できる表示装置を提供する。
【課題を解決するための手段】
【０００６】
本発明の態様に従えば、表示パネルと、表示パネルの周囲の少なくとも一部に配置される筐体と、表示パネルを保持する保持部材と、筐体と保持部材とを相対移動可能に接続する接続部材と、保持部材に衝撃力を与える衝撃部材を有する衝撃力発生装置と、を備える表示装置が提供される。
【図面の簡単な説明】
【０００７】
【図１】図１は、第１実施形態に係る表示装置の一例を模式的に示す断面図である。
【図２】図２は、第１実施形態に係る表示装置の一例を模式的に示す図である。
【図３】図３は、第１実施形態に係る表示装置の制御システムの一例を示す機能ブロック図である。
【図４】図４は、第１実施形態に係る表示装置の制御方法を説明するためのフローチャートである。
【図５】図５は、衝撃力が与えられる前の表示装置の一例を模式的に示す図である。
【図６】図６は、衝撃力が与えられた後の表示装置の一例を模式的に示す図である。
【図７】図７は、第２実施形態に係る表示装置の一例を模式的に示す断面図である。
【図８】図８は、第３実施形態に係る表示装置の一例を模式的に示す断面図である。
【図９】図９は、第４実施形態に係る表示装置の一例を模式的に示す断面図である。
【図１０】図１０は、第５実施形態に係る表示装置の一例を模式的に示す図である。
【発明を実施するための形態】
【０００８】
以下、本発明に係る実施形態について図面を参照しながら説明するが、本発明はこれに限定されない。以下で説明する実施形態の構成要素は適宜組み合わせることができる。また、一部の構成要素を用いない場合もある。また、以下で説明する実施形態は、当業者が容易に想定できるもの及び実質的に同一のものを含む。なお、開示はあくまで一例にすぎず、当業者において発明の主旨を保っての適宜変更について容易に想到し得るものについては当然に本発明の範囲に含有されるものである。また、図面は説明をより明確にするため、実際の態様に比べ、各部の幅、厚さ、形状等について模式的に表される場合があるが、あくまで一例であって本発明の解釈を限定するものではない。また、本明細書及び各図において、既出の図に関して前述したものと同様の構成要素には同一の符号を付し、詳細な説明を適宜省略することがある。
【０００９】
＜第１実施形態＞
（表示装置）
図１は、本実施形態に係る表示装置１の一例を模式的に示す断面図である。図１に示すように、表示装置１は、表示パネル２と、表示パネル２の周囲の少なくとも一部に配置される筐体３と、表示パネル２を保持する保持部材４と、筐体３と保持部材４とを相対移動可能に接続する接続部材５と、保持部材４に衝撃力を与える衝撃部材６１を有する衝撃力発生装置６と、表示装置１を制御する制御装置７と、ユーザにより操作される操作装置９とを備える。表示装置１は、電源１０から供給される電力により作動する。
【００１０】
本実施形態においては、表示装置１が液晶表示装置であり、表示パネル２が液晶パネルであることとする。
【００１１】
液晶パネル２は、表示面２Ａと、表示面２Ａの逆方向を向く背面２Ｂと、表示面２Ａの外縁と背面２Ｂの外縁とを結ぶ外周面２Ｃとを有する。表示面２Ａと背面２Ｂとは実質的に平行である。
【００１２】
液晶表示装置１は、液晶パネル２の背面２Ｂに配置されるバックライトユニット８を有する。バックライトユニット８は、発光ダイオード（ＬＥＤ：light  emitting  diode）のような光源と、光源から射出された光を液晶パネル２に導く導光部材とを有する。バックライトユニット８は、光を射出する射出面８Ａと、射出面８Ａの逆方向を向く背面８Ｂと、射出面８Ａの外縁と背面８Ｂの外縁とを結ぶ外周面８Ｃとを有する。射出面８Ａと背面８Ｂとは実質的に平行である。液晶パネル２の背面２Ｂとバックライトユニット８の射出面８Ａとは対向する。液晶パネル２とバックライトユニット８とは接触する。
【００１３】
液晶パネル２は、第１基板２１と、第１基板２１と間隙を介して配置される第２基板２２と、第１基板２１と第２基板２２との間に設けられる液晶層２３とを有する。
【００１４】
液晶層２３は、複数の液晶２３Ａを有する。液晶層２３に電界が与えられると液晶２３Ａが動き、液晶２３Ａの向きが変化する。液晶２３Ａの向きが調整されることにより、液晶層２３を通過する光が変調される。液晶パネル２は、横電界駆動方式の一種であるＩＰＳ（in  plane  switching）方式で液晶２３Ａを駆動する。
【００１５】
第１基板２１は、ガラス基板２１Ｂを有する。ガラス基板２１Ｂは、平行平板である。ガラス基板２１Ｂは、バックライトユニット８からの光が入射可能な入射面と、光を射出可能な射出面とを有する。第１基板２１は、ガラス基板２１Ｂの入射面側に設けられる偏光フィルタ２１Ａと、ガラス基板２１Ｂの射出面側に設けられる電極層２１Ｃ及び配向膜２１Ｄとを有する。
【００１６】
偏光フィルタ２１Ａは、ガラス基板２１Ｂに支持される。液晶パネル２の背面２Ｂは、偏光フィルタ２１Ａの入射面を含む。バックライトユニット８から射出された光は、偏光フィルタ２１Ａに入射する。偏光フィルタ２１Ａは、バックライトユニット８からの光のうち第１直線偏光状態の光を通過させる。
【００１７】
電極層２１Ｃは、ガラス基板２１Ｂに支持される薄膜トランジスタ（ＴＦＴ：thin  film  transistor）、薄膜トランジスタと接続される画素電極、及び薄膜トランジスタに駆動信号を伝達する走査線を含む。
【００１８】
配向膜２１Ｄは、電極層２１Ｃと液晶層２３との間に設けられる。配向膜２１Ｄは、液晶層２３の液晶２３Ａと接触する。配向膜２１Ｄは、液晶２３Ａを特定方向に整列させる。
【００１９】
第２基板２２は、ガラス基板２２Ｃを有する。ガラス基板２２Ｃは、平行平板である。ガラス基板２２Ｃは、液晶層２３からの光が入射可能な入射面と、光を射出可能な射出面とを有する。第２基板２２は、ガラス基板２２Ｃの入射面側に設けられる配向膜２２Ａ及びカラーフィルタ２２Ｂと、ガラス基板２２Ｃの射出面側に設けられる位相差板２２Ｄ及び偏光フィルタ２２Ｅとを有する。
【００２０】
配向膜２２Ａは、液晶層２３とカラーフィルタ２２Ｂとの間に設けられる。液晶層２３を通過した光は、配向膜２２Ａに入射する。配向膜２２Ａは、液晶層２３の液晶２３Ａと接触する。配向膜２２Ａは、液晶２３Ａを特定方向に整列させる。
【００２１】
カラーフィルタ２２Ｂは、配向膜２２Ａとガラス基板２２Ｃとの間に設けられる。カラーフィルタ２２Ｂは、赤（Ｒ）、緑（Ｇ）、及び青（Ｂ）の３色に着色された着色領域を有する。
【００２２】
位相差板２２Ｄは、ガラス基板２２Ｃと偏光フィルタ２２Ｅとの間に設けられる。位相差板２２Ｄは、偏光フィルタ２１Ａ及び偏光フィルタ２２Ｅにおいて発生する視野角を補償する。
【００２３】
偏光フィルタ２２Ｅは、液晶層２３を通過した第２直線偏光状態の光を通過させる。第２直線偏光状態の光の振動方向は、第１直線偏光状態の光の振動方向と直交する。第２直線偏光状態の光は、偏光フィルタ２２Ｅから射出される。液晶パネル２の表示面２Ａは、偏光フィルタ２２Ｅの射出面を含む。
【００２４】
電極層２１Ｃの画素電極に電圧が印加されると、液晶層２３に電界が与えられ、液晶２３Ａが動く。印加される電圧値が調整されることにより、液晶２３Ａの向きが調整される。
【００２５】
画素電極に電圧が印加されない電圧オフ状態のとき、バックライトユニット８から射出された光が偏光フィルタ２２Ｅで遮断されるように液晶２３Ａの向きが調整される。画素電極に電圧が印加される電圧オン状態のとき、バックライトユニット８から射出された光が偏光フィルタ２２Ｅを通過するように液晶２３Ａの向きが調整される。
【００２６】
すなわち、電圧オフ状態のとき、表示面２Ａから光が射出されず、液晶パネル２は黒表示（暗表示）する。電圧オン状態のとき、表示面２Ａから光が射出される。画素電極に最大電圧が印加される最大電圧オン状態のとき、液晶パネル２は白表示（明表示）する。
【００２７】
筐体３は、液晶パネル２の周囲に配置されるフレーム部材である。筐体３は、表示面２Ａと同じ方向を向く前面３Ａと、前面３Ａの逆方向を向く後面３Ｂと、前面３Ａの内縁と後面３Ｂの内縁とを結ぶ内周面３Ｃとを有する。筐体３と液晶パネル２とは離れている。筐体３の内周面３Ｃと液晶パネル２の外周面２Ｃとの間に間隙Ｇ１が形成される。液晶パネル２に発生した振動は、筐体３にダイレクトに伝達されない。
【００２８】
保持部材４は、液晶パネル２を保持する。保持部材４は、金属製である。保持部材４は、アルミニウム合金製でもよいしステンレス鋼製でもよい。保持部材４は、液晶パネル２及びバックライトユニット８の両方を保持する。
【００２９】
保持部材４は、バックライトユニット８の背面８Ｂと対向する対向面４Ａ及び対向面４Ａの逆方向を向く背面４Ｂを有する第１部分４１と、筐体３と対向する第２部分４２と、第１部分４１と第２部分４２とを接続する第３部分４３とを有する。
【００３０】
第１部分４１は、プレート状の部分である。第１部分４１は、バックライトユニット８と接触する。第１部分４１の対向面４１Ａと背面４Ｂとは実質的に平行である。液晶パネル２の表示面２Ａと第１部分４１の背面４Ｂとは実質的に平行である。
【００３１】
第３部分４３は、液晶パネル２の外周面２Ｃ及びバックライトユニット８の外周面８Ｃと対向する内周面４Ｃを有する。第３部分４３は、バックライトユニット８及び液晶パネル２と接触する。
【００３２】
第２部分４２は、表示面２Ａと平行な面内において液晶パネル２の中心から外側に突出する。第２部分４２は、液晶パネル２の周囲に配置されるプレート状の部分である。第２部分４２は、筐体３の後面３Ｂと間隙Ｇ２を介して対向する前面４Ｄと、前面４Ｄの逆方向を向く後面４Ｅとを有する。間隙Ｇ２の寸法は、間隙Ｇ１の寸法よりも大きい。
【００３３】
接続部材５は、筐体３と保持部材４とを相対移動可能に接続する。接続部材５は、筐体３と保持部材４とが表示パネル２の表示面２Ａと直交する方向に相対移動するように、筐体３と保持部材４とを接続する。
【００３４】
以下の説明においては、表示面２Ａと直交する方向を適宜、表示面２Ａの法線方向、と称する。表示面２Ａの法線方向は、液晶パネル２の厚み方向である。
【００３５】
接続部材５は、液晶パネル２の周囲に複数配置される。接続部材５は、筐体３と保持部材４の第２部分４２とを接続する。第２部分４２は、接続部材５を介して筐体３と接続される。接続部材５の少なくとも一部は、第２部分４２に設けられた開口４Ｋに配置される。開口４Ｋは、前面４Ｄと後面４Ｅとを貫通する孔である。
【００３６】
接続部材５は、少なくとも一部が第２部分４２の開口４Ｋに配置され一端部が筐体３に固定されるロッド部５１と、ロッド部５１の他端部に設けられたフランジ部５２と、ロッド部５１の周囲に配置される弾性部材５３とを有する。
【００３７】
ロッド部５１は、中心軸を有する。ロッド部５１の中心軸と表示面２Ａの法線とが平行となるように、ロッド部５１は筐体３に固定される。
【００３８】
弾性部材５３は、筐体３と第２部分４２との間においてロッド部５１の周囲に配置される。弾性部材５３の一端部は筐体３の後面３Ｂと接続される。弾性部材５３の他端部は第２部分４２の前面４Ｄと接続される。弾性部材５３は、少なくとも表示面２Ａの法線方向に弾性変形し、弾性力を発生する。
【００３９】
ロッド部５１の外周面と開口４Ｋの内周面との間に間隙が設けられる。第２部分４２は、表示面２Ａの法線方向（ロッド部５１の中心軸と平行な方向）に関してロッド部５１にスライド可能に支持される。
【００４０】
フランジ部５２は、第２部分４２の後面４Ｅと間隙Ｇ３を介して対向する。弾性部材５３が弾性変形されていないニュートラル状態において、間隙Ｇ２の寸法は間隙Ｇ３の寸法よりも大きい。
【００４１】
接続部材５は、スプリングねじを含む。弾性部材５３は、ロッド部５１の周囲に配置されるコイルスプリングである。ロッド部５１はねじ山を有する。ロッド部５１のねじ山と筐体３に設けられているねじ孔とが結合されることにより、ロッド部５１が筐体３に固定される。
【００４２】
（衝撃力発生装置）
次に、衝撃力発生装置について説明する。衝撃力発生装置６は、保持部材４に衝撃力を与えることにより、保持部材４を介して液晶パネル２に衝撃力を与える。衝撃力発生装置６は、衝撃部材６１で保持部材４を叩くことにより、保持部材４を介して液晶パネル２に衝撃力を与える。衝撃力発生装置６は、表示パネル２の表示面２Ａと直交する方向の衝撃力を保持部材４及び液晶パネル２に与える。
【００４３】
衝撃部材６１は、保持部材４の第１部分４１の背面４Ｂと対向する位置に配置される。保持部材４の第１部分４１は、液晶パネル２の背面２Ｂと衝撃部材６１との間に配置される。第１部分４１と液晶パネル２との間にバックライトユニット８が設けられる。第１部分４１は、液晶パネル２及びバックライトユニット８と衝撃部材６１との間に配置される。
【００４４】
衝撃力発生装置６は、保持部材４の第１部分４１に衝撃力を与える。衝撃力発生装置６は、衝撃部材６１で保持部材４の第１部分４１を叩く。本実施形態において、衝撃部材６１は、表示面２Ａと平行な面内において第１部分４１の中央部を叩く。第１部分４１が衝撃部材６１で叩かれることにより、第１部分４１に衝撃力が発生する。第１部分４１とバックライトユニット８とは接触する。バックライトユニット８と液晶パネル２とは接触する。第１部分４１に発生した衝撃力は、バックライトユニット８を介して液晶パネル２に伝達される。これにより、液晶パネル２に衝撃力が与えられる。
【００４５】
衝撃力発生装置６は、衝撃部材６１で保持部材４を叩くように衝撃部材６１を移動する移動装置６２を有する。移動装置６２は、衝撃部材６１が保持部材４と接触する接触状態及び保持部材４から離れる非接触状態の一方から他方に変化するように衝撃部材６１を移動する。これにより、保持部材４は衝撃部材６１で叩かれる。移動装置６２は、表示面２Ａの法線方向に衝撃部材６１を移動する。衝撃部材６１が表示面２Ａの法線方向に移動することにより、表示面２Ａと直交する方向の衝撃力が保持部材４及び液晶パネル２に与えられる。
【００４６】
移動装置６２は、クランク機構を含む。移動装置６２は、回転軸ＡＸを中心に回転可能な回転部材６３と、回転部材６３と衝撃部材６１とを連結するコネクティングロッド６４と、回転部材６３を回転させる動力を発生する駆動装置６５とを有する。回転軸ＡＸと表示面２Ａの法線とは直交する。
【００４７】
衝撃部材６１は、コネクティングロッド６４を介して回転部材６３と連結される。駆動装置６５の作動により回転部材６３が回転する。回転部材６３の回転により、衝撃部材６１は、保持部材４と接触する接触状態及び保持部材４から離れる非接触状態の一方から他方に変化するように、表示面２Ａの法線方向に往復移動する。
【００４８】
衝撃部材６１は、コネクティングロッド６４に連結される支持部材６１Ａと、表示面２Ａの法線方向に関して支持部材６１Ａにスライド可能に支持されるスライド部材６１Ｂと、弾性部材６１Ｃとを有する。支持部材６１Ａは、フランジ部６１Ａａと、フランジ部６１Ａａに接続されるシリンダ部６１Ａｂとを有する。スライド部材６１Ｂは、シリンダ部６１Ａｂに移動可能に支持されるロッド部６１Ｂａと、ロッド部６１Ｂａに接続され保持部材４に接触可能な接触部６１Ｂｂとを有する。接触部６１Ｂｂは、ロッド部６１Ｂａよりも直径が大きいフランジ部６１Ｂｃを有する。弾性部材６１Ｃは、フランジ部６１Ａａとフランジ部６１Ｂｃとの間においてシリンダ部６１Ａｂの周囲に配置されるコイルスプリングを含む。
【００４９】
衝撃部材６１が保持部材４に接近するように移動して、スライド部材６１Ｂの接触部６１Ｂｂが第１部分４１に接触したとき、ロッド部６１Ｂａがフランジ部６１Ａａに押し込まれるように支持部材６１Ａとスライド部材６１Ｂとが相対移動する。また、ロッド部６１Ｂａがフランジ部６１Ａａに押し込まれるように支持部材６１Ａとスライド部材６１Ｂとが相対移動したとき、弾性部材６１Ｃが縮むように弾性変形する。これにより、スライド部材６１Ｂが保持部材４に当たったときの衝撃力の一部が弾性部材６１Ｃにより吸収され、過度な衝撃力（衝撃音）が発生することが抑制される。
【００５０】
（カーナビゲーションシステム）
図２は、液晶表示装置１の使用例を示す図である。本実施形態において、液晶表示装置１は、自動車の運転室に配置されるカーナビゲーションシステムの表示装置として使用される。液晶表示装置１は、運転席３１１と助手席３１２との間のダッシュボード３００に設置される。筐体３は、ダッシュボート３００と接続される。横電界駆動方式の液晶パネル２の視野角は広いため、カーナビゲーションシステムに用いた場合、ユーザは、運転席３１１及び助手席３１２の両方から画像を視認し易い。
【００５１】
液晶表示装置１の電源１０は、自動車に搭載される二次電池（バッテリー）である。二次電池は、低電圧バッテリー（１２Ｖバッテリー）でもよいし、回生モータで充電される回生バッテリーでもよい。自動車が電気自動車又はプラグインハイブリッド自動車である場合、電源１０は、自動車の車輪を駆動するモータに電力を供給するための駆動用バッテリーでもよい。
【００５２】
（制御装置）
次に、制御装置７を含む液晶表示装置１の制御システムについて説明する。図３は、液晶表示装置１の制御システムの一例を示す機能ブロック図である。
【００５３】
図３に示すように、制御装置７は、液晶パネル２を起動するための起動信号を生成する起動部７１と、液晶パネル２で表示する画像を示す画像信号を出力する画像制御部７２と、液晶パネル２が起動したか否かを判定する起動判定部７３と、液晶パネル２が黒表示状態か否かを判定する表示判定部７４と、衝撃力発生装置６を作動させるための制御信号を出力する衝撃力発生装置制御部７５とを有する。
【００５４】
制御装置７は、操作装置９及び電源１０と接続される。また、制御装置７は、衝撃力発生装置６、液晶パネル２、及びバックライトユニット８と接続される。
【００５５】
操作装置９は、ユーザによって操作可能なボタン及びタッチパネルの一方又は両方を含む。ユーザにより操作されることにより、操作装置９は操作信号を生成する。操作装置９により生成された操作信号は、起動部７１及び衝撃力発生装置制御部７５に送信される。
【００５６】
操作装置９は、液晶パネル２を起動させるための起動指令ボタン及び起動指令アイコンのような起動指令操作部を含む。操作装置９の起動指令操作部が操作されることにより、起動指令信号が起動部７１に送信される。
【００５７】
また、操作装置９は、衝撃力発生装置６を作動させるための作動指令ボタン及び作動指令アイコンのような作動指令操作部を含む。操作装置９の作動指令操作部が操作されることにより、作動指令信号が衝撃力発生装置制御部７５に送信される。
【００５８】
また、電源１０が起動した場合、電源１０の起動を示す電源起動信号が起動部７１に送信される。
【００５９】
起動部７１は、操作装置９から起動指令信号を受信したとき、又は電源１０から電源起動信号を受信したとき、液晶パネル２を起動するための起動信号を生成する。起動部７１で生成された起動信号が起動部７１から出力されることにより、液晶パネル２及びバックライトユニット８に電源１０から電力が供給される。電源１０から電力が供給されることにより、液晶パネル２及びバックライトユニット８は起動する。
【００６０】
画像制御部７２は、液晶パネル２で表示する画像を示す画像信号を出力する。画像信号は、液晶パネル２の電極層２１Ｃの画素電極に印加する電圧を示す電圧信号を含む。画像制御部７２は、液晶パネル２に黒表示させるとき、画素電極が電圧オフ状態となるように、画像信号を出力する。画像制御部７２は、液晶パネル２に白表示させるとき、画素電極が最大電圧オン状態となるように、画像信号を出力する。
【００６１】
起動判定部７３は、起動部７１から出力される起動信号に基づいて、液晶パネル２が起動したか否かを判定する。起動判定部７３は、起動部７１から起動信号が出力されたと判定したとき、液晶パネル２が起動したと判定する。起動判定部７３は、起動部７１から起動信号が出力されていないと判定したとき、液晶パネル２が起動していないと判定する。
【００６２】
表示判定部７４は、画像制御部７２から出力される画像信号に基づいて、液晶パネル２が黒表示状態か否かを判定する。表示判定部７４は、画像制御部７２から電圧オフ状態を指令する画像信号が出力されたと判定したとき、液晶パネル２が黒表示状態であると判定する。表示判定部７４は、画像制御部７２から電圧オフ状態を指令する画像信号が出力されていない判定したとき、液晶パネル２が黒表示状態でないと判定する。
【００６３】
衝撃力発生装置制御部７５は、起動判定部７３により液晶パネル２が起動したと判定されたとき、衝撃力発生装置６の駆動装置６５を作動させるための制御信号を出力する。また、衝撃力発生装置制御部７５は、表示判定部７４により液晶パネル２が黒表示状態であると判定されたとき、衝撃力発生装置６の駆動装置６５を作動させるための制御信号を出力する。また、衝撃力発生装置制御部７５は、操作装置９が操作され、衝撃力発生装置６の作動指令信号が生成されたとき、衝撃力発生装置６の駆動装置６５を作動させるための制御信号を出力する。
【００６４】
（液晶表示装置の制御方法）
次に、液晶表示装置１の制御方法の一例について図４のフローチャートを参照して説明する。自動車のエンジンの始動前及び始動後のそれぞれにおいて、制御装置７は、電源１０である二次電池から供給される電力によって作動可能である。
【００６５】
ユーザが運転室に搭乗し、自動車のエンジンが始動される。制御装置７の起動判定部７３は、液晶パネル２が起動したか否かを判定する（ステップＳＰ１）。
【００６６】
自動車のエンジンの始動と連動して液晶パネル２が起動するように設定されている場合、自動車のエンジンが始動されると、液晶パネル２の起動を示す電源起動信号が起動部７１に送信される。エンジンの始動と連動せずに、操作装置９の操作により液晶パネル２が起動するように設定されている場合、操作装置９の起動指令操作部が操作されることにより、起動指令信号が起動部７１に送信される。
【００６７】
ステップＳＰ１において、液晶パネル２が起動していないと判定されたとき（ステップＳＰ１：Ｎｏ）、判定処理が終了する。ステップＳＰ１において、液晶パネル２が起動したと判定されたとき（ステップＳＰ１：Ｙｅｓ）、衝撃力発生装置制御部７５は、衝撃力発生装置６を作動させるための制御信号を出力する（ステップＳＰ２）。
【００６８】
衝撃力発生装置６を作動させるための制御信号が出力されると、駆動装置６５が作動し、回転部材６３が回転する。回転部材６３の回転により、保持部材４から離れていた衝撃部材６１は、保持部材４に向かって移動し、保持部材４を叩く。これにより、保持部材４を介して液晶パネル２に衝撃力が与えられる。
【００６９】
衝撃部材６１が保持部材４を叩いた後、回転部材６３が更に回転することにより、保持部材４と接触していた衝撃部材６１は保持部材４から離れる。以上により、液晶パネル２に対する第１回目の衝撃付与動作が終了する。
【００７０】
衝撃付与動作は、１回で終了してもよいし、２回以上５回以下で行われてもよい。複数回の衝撃付与動作を実行する場合、衝撃力発生装置制御部７５は、回転部材６３を複数回回転させる。回転部材６３が複数回回転することにより、衝撃部材６１は保持部材４と接触する接触状態及び保持部材４から離れる非接触状態を複数回繰り返す。これにより、保持部材４は、衝撃部材６１で複数回叩かされる。
【００７１】
液晶パネル２が起動された後、画像制御部７２は、特定の画像を液晶パネル２で表示するために、画像信号を出力する。液晶パネル２に表示される画像は、起動時の起動画像（デモンストレーション画像又はパターン画像）、ナビゲーション画像、及び音楽操作用画像を含む。
【００７２】
画像制御部７２は、液晶パネル２及び表示判定部７４の両方に、同じ画像信号を並列で出力する。表示判定部７４は、画像制御部７２から出力された画像信号に基づいて、液晶パネル２が黒表示状態か否かを判定する（ステップＳＰ３）。
【００７３】
液晶パネル２が黒表示状態とは、少なくとも表示面２Ａの周縁部が黒表示状態であることをいう。換言すれば、液晶パネル２が黒表示状態とは、表示面２Ａの周縁部の光を変調する液晶２３Ａに電界を与えるための画素電極が電圧オフ状態であることをいう。
【００７４】
本実施形態において、液晶パネル２が黒表示状態とは、液晶パネル２の全領域が黒表示状態であることをいう。すなわち、液晶パネル２が黒表示状態とは、液晶パネル２が有する複数の画素電極の全部が電圧オフ状態であることをいう。
【００７５】
ステップＳＰ３において、液晶パネル２が黒表示状態でないと判定されたとき（ステップＳＰ３：Ｎｏ）、判定処理が終了する。ステップＳＰ３において、液晶パネル２が黒表示状態であると判定されたとき（ステップＳＰ３：Ｙｅｓ）、衝撃力発生装置制御部７５は、衝撃力発生装置６を作動させるための制御信号を出力する（ステップＳＰ４）。
【００７６】
衝撃力発生装置６を作動させるための制御信号が出力されると、衝撃部材６１は保持部材４を叩く。これにより、保持部材４を介して液晶パネル２に衝撃力が与えられる。ステップＳＰ２で説明したように、衝撃付与動作は１回でもよいし複数回でもよい。
【００７７】
（作用及び効果）
以上説明したように、本実施形態によれば、保持部材４を介して液晶パネル２に衝撃力が与えられることにより、液晶パネル２の表示ムラが改善される。
【００７８】
本発明者の知見によれば、液晶パネル２を筐体３に取り付けるとき又は筐体３をダッシュボード３００に取り付けるときに、液晶パネル２に応力ムラが発生する可能性がある。応力ムラとは、液晶パネル２の局所部分に過度な応力が発生すること又は液晶パネル２の一部分に発生する応力と他の部分に発生する応力との差が規定値よりも大きいことをいう。応力ムラが発生すると、第１基板２１及び第２基板２２の一方又は両方が局所的に歪み、第１基板２１と第２基板２２との間隔であるセルギャップが変動する可能性がある。
【００７９】
液晶パネル２を筐体３に取り付けた後又は筐体３をダッシュボート３００に取り付けた後においても、液晶パネル２に応力ムラが残留していると、セルギャップは規定寸法とは異なる状態を維持することとなる。その結果、表示ムラが発生し、液晶表示装置１の品質が低下する可能性がある。表示ムラとは、表示面２Ａの第１の部分と第２の部分とにおいて同一色が表示されるように画像制御部７２から画像信号が出力されている場合でも、第１の部分の色と第２の部分の色とが異なって表示されることをいう。
【００８０】
例えば、表示面２Ａの全領域が黒表示状態となるように画像制御部７２から画像信号が出力されている場合でも、セルギャップの一部分が変動すると、その一部分に存在する液晶２３Ａだけ、他の部分に存在する液晶２３Ａと向きが異なる現象が発生する。その結果、セルギャップの一部分に相当する表示面２Ａの一部の領域が黒表示されず、白表示など他の色に表示されてしまう可能性がある。
【００８１】
本発明者は、液晶パネル２に衝撃力を与えることにより、取り付け時において発生した応力ムラを解消して第１基板２１及び第２基板２２の歪みを解消できることを見出した。すなわち、液晶パネル２に衝撃力が与えられることにより、変動したセルギャップの寸法が元の規定寸法に戻され、表示ムラが改善されることを見出した。
【００８２】
図５は、表示ムラが発生している状態の液晶パネル２の表示面２Ａの一例を模式的に示す図である。図５は、表示面２Ａの全領域が黒表示状態となるように画像制御部７２から画像信号が出力されているときの表示面２Ａの一例を示す。液晶パネル２を筐体３に取り付けることに起因して表示面２Ａの周縁部に応力ムラが発生し、セルギャップの一部が変動し、セルギャップが不均一になると、表示面２Ａの全領域が黒表示されるように画像信号が出力されても、図５に示すように、表示面２Ａの周縁部の表示色が黒以外の色になる現象が発生する。
【００８３】
図６は、図５に示した液晶パネル２に衝撃力を与えた後の表示面２Ａの一例を模式的に示す図である。液晶パネル２に衝撃力が与えられることにより、液晶パネル２を筐体３に取り付けることに起因して発生していた第１基板２１及び第２基板２２の一方又は両方の歪みが矯正され、セルギャップが均一化される。その結果、図６に示すように、表示面２Ａの全領域が黒表示され、表示ムラが改善される。
【００８４】
また、本実施形態においては、衝撃力発生装置６は、液晶パネル２にダイレクトに衝撃力を与えるのではなく、液晶パネル２を保持する保持部材４に衝撃力を与える。液晶パネル２及びバックライトユニット８が保持部材４に保護された状態で液晶パネル２に衝撃力が与えられるので、液晶パネル２及びバックライトユニット８の損傷が抑制されつつ、表示ムラが改善される。
【００８５】
また、本実施形態においては、筐体３と保持部材４とは接続部材５により相対移動可能に接続される。これにより、保持部材４に与えられた衝撃力の少なくとも一部は接続部材５で吸収される。また、本実施形態においては、筐体３と液晶パネル２との間に間隙Ｇ１が設けられる。これにより、液晶パネル２に与えられた衝撃力が筐体３にダイレクトに伝達されることが抑制される。筐体３は、ダッシュボード３００に取り付けられており、筐体３に衝撃力が加わると、ユーザ（運転室の搭乗者）に不快感を与える可能性がある。接続部材５により筐体３に加わる衝撃力が緩和されるので、ユーザに不快感を与えることが抑制される。
【００８６】
また、本実施形態においては、保持部材４は、液晶パネル２の背面２Ｂと衝撃部材６１との間に配置される第１部分４１と、接続部材５を介して筐体３と接続される第２部分４２とを有し、衝撃力発生装置６は、第１部分４１に衝撃力を与える。これにより、保持部材４に与えられた衝撃力は、液晶パネル２の周縁部まで均一に伝達される。そのため、表示ムラの改善に効果的である。
【００８７】
また、本実施形態においては、衝撃力発生装置６は、液晶パネル２の表示面２Ａと直交する法線方向の衝撃力を与える。これにより、表示ムラを改善するための十分な衝撃力が液晶パネル２に均一に伝達される。凹凸がある路面を自動車が走行した場合、液晶パネル２の表示面２Ａと平行な上下方向の衝撃力が液晶パネル２に与えられる可能性がある。しかし、上下方向の衝撃力は、衝撃力発生装置６により与えられる衝撃力の向き、強度、及び振動数とは大きく異なる。自動車の走行では得られない衝撃力が液晶パネル２に与えられることにより、第１基板２１及び第２基板２２の歪みは十分に矯正され、表示ムラは効果的に改善される。
【００８８】
また、本実施形態においては、衝撃力発生装置６は、保持部材４を叩くように衝撃部材６１を移動する移動装置６２を有する。衝撃部材６１で保持部材４を叩くことにより発生する衝撃力により、表示ムラは効果的に改善される。携帯端末のバイブレーションモードのような振動ではなく、打撃による力積の増大作用を利用した衝撃力（impulsive  force)が液晶パネル２に与えられることにより、第１基板２１及び第２基板２２の歪みは効果的に矯正される。
【００８９】
また、本実施形態においては、移動装置６２は、衝撃部材６１が保持部材４と接触する接触状態及び保持部材４から離れる非接触状態の一方から他方に変化するように衝撃部材６１を移動して、保持部材４を叩く。接触状態及び非接触状態の一方から他方への変化が繰り返されることにより、液晶パネル２に対する複数回の衝撃付与動作が円滑に実施される。また、液晶パネル２に与えられた衝撃力は液晶パネル２の周縁部まで十分に伝達される。
【００９０】
また、本実施形態においては、移動装置６２は、回転軸ＡＸを中心に回転可能な回転部材６３と、回転部材６３を回転させる動力を発生する駆動装置６５とを含み、回転部材６３の回転により、衝撃部材６１は接触状態及び非接触状態の一方から他方に変化する。回転部材６３を回転させるだけで、衝撃部材６１が接触状態及び非接触状態の一方から他方に変化する往復運動が得られ、液晶表示装置１の構造の簡易化及び小型化が実現される。
【００９１】
また、本実施形態においては、液晶パネル２が黒表示状態のときに、液晶パネル２に衝撃力が与えられる。黒表示状態のときの表示ムラはユーザに視認され易い。表示面２Ａの全領域が黒表示されるように画像制御部７２から画像信号が出力されたときに、液晶パネル２に衝撃力が与えられることにより、黒表示状態における表示ムラの発生が十分に抑制される。
【００９２】
また、液晶パネル２の起動時に液晶パネル２に衝撃力が与えられることにより、起動後の液晶パネル２は、表示ムラが改善された高品質な画像を表示することができる。また、一般に、液晶パネル２の起動時における起動画像において、黒表示される領域が大きい場合が多い。液晶パネル２の起動時に衝撃力を与えておけば、高品質な起動画像が得られる。
【００９３】
なお、本実施形態において、液晶パネル２に対する衝撃付与動作は、液晶パネル２の起動時に実施され、黒表示状態のときに実施されなくてもよい。また、液晶パネル２に対する衝撃付与動作は、黒表示状態のときに実施され、液晶パネル２の起動時に実施されなくてもよい。
【００９４】
なお、本実施形態において、操作装置９が操作されて衝撃力発生装置６を作動させるための作動指令信号が生成され、作動指令信号が衝撃力発生装置制御部７５に送信されたとき、衝撃力発生装置制御部７５が衝撃力発生装置６を作動させるための制御信号を出力してもよい。すなわち、ユーザが表示ムラの存在に気付いたとき、操作装置９を操作して、表示ムラを改善してもよい。
【００９５】
なお、本実施形態において、液晶パネル２を筐体３に取り付けた後の時点、又は筐体３をダッシュボート３００に取り付けた後の時点において、液晶パネル２の表示確認を行うときに、衝撃力発生装置６で液晶パネル２に衝撃力を与えてもよい。
【００９６】
＜第２実施形態＞
次に、第２実施形態について説明する。本実施形態においては、衝撃力発生装置６の変形例について説明する。
【００９７】
図７は、本実施形態に係る衝撃力発生装置６Ａを有する液晶表示装置１Ａを示す図である。衝撃力発生装置６Ａは、衝撃部材６１が保持部材４と接触する接触状態及び保持部材４から離れる非接触状態の一方から他方に変化するように衝撃部材６１を往復移動させる移動装置６２Ａを有する。移動装置６２Ａは、回転軸ＡＸを中心に回転可能な回転部材６３Ａと、回転部材６３Ａを回転させる動力を発生する駆動装置６５Ａとを有する。
【００９８】
本実施形態において、回転部材６３Ａはカムである。回転部材６３Ａの外周面は、回転軸ＡＸから第１距離の第１外周部６３Ａａと、回転軸ＡＸから第１距離よりも長い第２距離の第２外周部６３Ａｂとを含む。回転部材６３Ａの第１外周部６３Ａａが衝撃部材６１と接触することにより、衝撃部材６１は保持部材４から離れる非接触状態となる。回転部材６３Ａの第２外周部６３Ａｂが衝撃部材６１と接触することにより、衝撃部材６１は保持部材４と接触する接触状態となる。接触状態となることにより、衝撃部材６１は保持部材４を叩いて、液晶パネル２に衝撃力を与える。
【００９９】
＜第３実施形態＞
次に、第３実施形態について説明する。本実施形態においても、衝撃力発生装置６の変形例について説明する。
【０１００】
図８は、本実施形態に係る衝撃力発生装置６Ｂを有する液晶表示装置１Ｂを示す図である。衝撃力発生装置６Ｂは、衝撃部材６１０が保持部材４と接触する接触状態及び保持部材４から離れる非接触状態の一方から他方に変化するように衝撃部材６１０を往復移動させる移動装置６２Ｂを有する。衝撃力発生装置６Ｂは、ポンプを含む気体供給装置６６と、気体供給装置６６に接続されたシリンダチューブ６７とを有する。シリンダチューブ６７は、例えばゴム製であり、可撓性を有する。
【０１０１】
本実施形態において、衝撃部材６１０は、シリンダチューブ６７に移動可能に支持されるピストンである。移動装置６２Ｂは、シリンダチューブ６７に気体を供給する気体供給装置６６を有する。シリンダチューブ６７に対する気体の供給が制御装置７に制御されることにより、衝撃部材６１０は、接触状態及び非接触状態の一方から他方に変化する。気体供給装置６６からシリンダチューブ６７に気体が供給されることにより、衝撃部材６１０は、保持部材４を叩いて、液晶パネル２に衝撃力を与える。気体供給装置６６によりシリンダチューブ６７から気体が吸引されることにより、衝撃部材６１０は、保持部材４から離れる。
【０１０２】
衝撃部材６１０及びシリンダチューブ６７は可撓性を有するので、液晶パネル２と気体供給装置６６との相対位置を自由に変更することができる。換言すれば、気体供給装置６６の設置自由度が向上する。これにより、液晶表示装置１Ｂの小型化を図ることができる。
【０１０３】
＜第４実施形態＞
次に、第４実施形態について説明する。本実施形態においても、衝撃力発生装置６の変形例について説明する。
【０１０４】
図９は、本実施形態に係る衝撃力発生装置６Ｃを有する液晶表示装置１Ｃを示す図である。本実施形態において、保持部材４の第１部分４１に第１磁石６８が設けられる。衝撃部材は、第１磁石６８と対向可能な第２磁石６１１を含む。第１磁石６８は、永久磁石であり、第１磁極を有する。第２磁石６１１は、永久磁石であり、第１磁極及び第２磁極を有する棒磁石である。以下の説明においては、第１磁極がＮ極であり、第２磁極がＳ極であることとする。
【０１０５】
衝撃力発生装置６Ｃは、第２磁石６１１を移動する移動装置６２Ｃを有する。移動装置６２Ｃは、回転軸ＡＸを中心に第２磁石６１１を回転可能に支持する支持部材６９と、第２磁石６１１を回転させる動力を発生する駆動装置６５Ｃとを含む。
【０１０６】
移動装置６２Ｃは、保持部材４に設けられた第１磁石６８と第２磁石６１１のＮ極とが対向する対向状態及び第１磁石６８と第２磁石６１１のＮ極とが離れる非対向状態の一方から他方に変化するように、第２磁石６１１を移動する。
【０１０７】
第１磁石６８と第２磁石６１１のＮ極とが対向する対向状態は、第１磁石６８と第２磁石６１１のＳ極とが離れる状態を含む。第１磁石６８と第２磁石６１１のＮ極とが離れる非対向状態は、第１磁石６８と第２磁石６１１のＳ極とが対向する状態を含む。
【０１０８】
すなわち、本実施形態において、移動装置６２Ｃは、第２磁石６１１のＮ極と保持部材４の第１磁石６８とが対向する状態と、第２磁石６１１のＳ極と保持部材４の第１磁石６８とが対向する状態とが交互に繰り返されるように、第２磁石６１１を一方向に回転する。
【０１０９】
第２磁石６１１のＮ極と保持部材４の第１磁石６８とが対向する状態になると、第２磁石６１１と第１磁石６８との間に反発力が発生する。その結果、保持部材４は、第２磁石６１１から離れるように移動する。第２磁石６１１のＳ極と保持部材４の第１磁石６８とが対向する状態になると、第２磁石６１１と第１磁石６８との間に吸引力が発生する。その結果、保持部材４は、第２磁石６１１に近付くように移動する。第２磁石６１１のＮ極と保持部材４の第１磁石６８とが対向する状態と、第２磁石６１１のＳ極と保持部材４の第１磁石６８とが対向する状態とが交互に繰り返されることにより、保持部材４は、表示面２Ａの法線方向に往復移動する。これにより、液晶パネル２に衝撃力が与えられる。
【０１１０】
なお、本実施形態においては、第１磁石６８がＮ極であることとした。第１磁石６８がＳ極でもよい。第１磁石６８がＳ極である場合においても、Ｎ極とＳ極とを有する第２磁石６１１が移動装置６２Ｃによって移動されることにより、液晶パネル２に衝撃力が与えられる。
【０１１１】
＜第５実施形態＞
次に、第５実施形態について説明する。本実施形態においても、衝撃力発生装置６の変形例について説明する。
【０１１２】
図１０は、本実施形態に係る衝撃力発生装置６Ｄを有する液晶表示装置１Ｄを示す図である。衝撃力発生装置６Ｄは、衝撃部材６１２と、保持部材４を叩くように衝撃部材６１２を移動する移動装置６２Ｄとを備える。移動装置６２Ｄは、回転軸ＡＸを中心に回転可能な回転部材６３Ｄと、回転部材６３Ｄを回転させる動力を発生する駆動装置６５Ｄとを含む。
【０１１３】
衝撃部材６１２の少なくとも一部は、板ばねのような弾性部を有する。衝撃部材６１２の一部は、回転部材６３Ｄに固定されている。回転部材６３Ｄが回転することにより、衝撃部材６１２は、回転軸ＡＸの周囲を移動する。
【０１１４】
衝撃力発生装置６Ｄは、保持部材４の背面４Ｂと間隙を介して対向するように配置されるストッパ部材８０を有する。ストッパ部材８０の位置は固定されている。ストッパ部材８０は、衝撃部材６１２の移動範囲に配置される。
【０１１５】
本実施形態において、回転部材６３Ｄ及び衝撃部材６１２は、図１０の矢印で示すように、回転軸ＡＸを中心に一方向に回転する。本実施形態においては、衝撃部材６１２は、衝撃部材６１２の先端部が背面４Ｂの上部と対向する状態から背面４Ｂの下部と対向する状態に変化するように、移動する。衝撃部材６１２の先端部が背面４Ｂの上部と対向する状態から背面４Ｂの下部と対向する状態に変化する移動期間において、衝撃部材６１２の先端部が保持部材４に接触するように、衝撃部材６１２の寸法又は回転部材６３Ｄと保持部材４との距離が定められている。以下の説明において、衝撃部材６１２の先端部が接触可能な保持部材４の背面４Ｂの部位を適宜、打撃ポイントＰと称する。
【０１１６】
ストッパ部材８０は、打撃ポイントＰよりも上方に配置される。回転部材６３Ｄが回転することにより、図１０に示すように、衝撃部材６１２の一部がストッパ部材８０と接触し、ストッパ部材８０により衝撃部材６１２の移動が規制される。
【０１１７】
ストッパ部材８０により衝撃部材６１２の移動が規制されても、回転部材６３Ｄの回転は継続される。これにより、図１０に示すように、衝撃部材６１２は撓むように弾性変形する。
【０１１８】
回転部材６３Ｄの回転が継続されることにより、衝撃部材６１２の撓み量は大きくなり、やがて、ストッパ部材８０による衝撃部材６１２の移動の規制が解除される。その結果、弾性変形していた衝撃部材６１２は、元の形状に戻る。弾性変形状態から元の状態に戻るときの衝撃部材６１２の復元力に基づいて、保持部材４は、衝撃部材６１２によって叩かれる。これにより、保持部材４に衝撃力が与えられる。
【０１１９】
移動装置６２Ｄは、一定速度で回転部材６３Ｄを回転させる。これにより、保持部材４は、衝撃部材６１２によって定期的に叩かれる。
【０１２０】
なお、上述の各実施形態においては、液晶パネル２の駆動方式がＩＰＳ（in  plane  switching）方式であることとした。液晶パネル２の駆動方式は、ＶＡ（virtical  alignment）方式でもよいし、ＴＮ（twisted  nematic）方式でもよい。
【０１２１】
なお、上述の各実施形態においては、液晶表示装置１がカーナビゲーションシステムに適用されることとした。液晶表示装置１は、テレビ受像機、デジタルカメラ、ノート型パーソナルコンピュータ、スマートフォン、タブレット型パーソナルコンピュータ、及びビデオカメラのような種々の電子機器に適用可能である。
【符号の説明】
【０１２２】
１  表示装置（液晶表示装置）、１Ａ  液晶表示装置、１Ｂ  液晶表示装置、１Ｃ  液晶表示装置、１Ｄ  液晶表示装置、２  表示パネル（液晶パネル）、２Ａ  表示面、２Ｂ  背面、２Ｃ  外周面、３  筐体、３Ａ  前面、３Ｂ  後面、３Ｃ  内周面、４  保持部材、４Ａ  対向面、４Ｂ  背面、４Ｃ  内周面、４Ｄ  前面、４Ｅ  後面、４Ｋ  開口、５  接続部材、６  衝撃力発生装置、６Ａ  衝撃力発生装置、６Ｂ  衝撃力発生装置、６Ｃ  衝撃力発生装置６  制御装置、８  バックライトユニット、８Ａ  射出面、８Ｂ  背面、８Ｃ  外周面、９  操作装置、１０  電源、２１  第１基板、２１Ａ  偏光フィルタ、２１Ｂ  ガラス基板、２１Ｃ  電極層、２１Ｄ  配向膜、２２  第２基板、２２Ａ  配向膜、２２Ｂ  カラーフィルタ、２２Ｃ  ガラス基板、２２Ｄ  位相差板、２２Ｅ  偏光フィルタ、２３  液晶層、２３Ａ  液晶、４１  第１部分、４２  第２部分、４３  第３部分、５１  ロッド部、５２  フランジ部、５３  弾性部材、６１  衝撃部材、６１Ａ  支持部材、６１Ａａ  フランジ部、６１Ａｂ  シリンダ部、６１Ｂ  スライド部材、６１Ｂａ  ロッド部、６１Ｂｂ  接触部、６１Ｂｃ  フランジ部、６１Ｃ  弾性部材、６２  移動装置、６２Ａ  移動装置、６２Ｂ  移動装置、６２Ｃ  移動装置、６２Ｄ  移動装置、６３  回転部材、６３Ａ  回転部材、６３Ａａ  第１外周部、６３Ａｂ  第２外周部、６３Ｄ  回転部材、６４  コネクティングロッド、６５  駆動装置、６５Ａ  駆動装置、６５Ｃ  駆動装置、６５Ｄ  駆動装置、６６  気体供給装置、６７  シリンダチューブ、６８  第１磁石、６９  支持部材、７１  起動部、７２  画像制御部、７３  起動判定部、７４  表示判定部、７５  衝撃力発生装置制御部、８０  ストッパ部材、６１０  衝撃部材、６１１  第２磁石、６１２  衝撃部材、ＡＸ  回転軸、Ｇ１  間隙、Ｇ２  間隙、Ｇ３  間隙、Ｐ  打撃ポイント。
【図１】
2017003621.tif 000003
【図２】
2017003621.tif 000004
【図３】
2017003621.tif 000005
【図４】
2017003621.tif 000006
【図５】
2017003621.tif 000007
【図６】
2017003621.tif 000008
【図７】
2017003621.tif 000009
【図８】
2017003621.tif 000010
【図９】
2017003621.tif 000011
【図１０】
2017003621.tif 000012